(57)【要約】【課題】本発明の目的は、強度の向上を図りつつ無線通信の精度を向上でき、その上、絶縁性能を確保できる光源ユニット、及び、照明器具を提供することである。【解決手段】光源ユニット２は、厚み方向の第１面２２０１及び第２面２２０２を有する取付板２２０と、取付板２２０の第１面２２０１に取り付けられる光源モジュール２８と、アンテナ部２９１を有し取付板２２０の第２面２２０２に取り付けられる無線モジュール２９と、を備える。取付板２２０は、取付板２２０を厚み方向に貫通し、無線モジュール２９のアンテナ部２９１を露出させる開口２２２を有する。光源モジュール２８は、開口２２２から露出したアンテナ部２９１を露出させる空間２０３を有する。開口２２２は、取付板２２０の厚み方向に直交する所定方向において空間２０３が開口２２２内に収まる大きさである。【選択図】図６
2019012608.tif 000002
【特許請求の範囲】
【請求項１】
厚み方向の第１面及び第２面を有する金属製の取付板と、
前記取付板の前記第１面に取り付けられる光源モジュールと、
アンテナ部を有し、前記取付板の前記第２面に取り付けられる無線モジュールと、
を備え、
前記取付板は、前記取付板を前記厚み方向に貫通し、前記無線モジュールの前記アンテナ部を露出させる開口を有し、
前記光源モジュールは、前記開口から露出した前記アンテナ部を露出させる空間を有し、
前記開口は、前記取付板の前記厚み方向に直交する所定方向において前記空間が前記開口内に収まる大きさである、
光源ユニット。
【請求項２】
前記光源モジュールは、第１辺を有する第１実装基板と、前記所定方向において前記第１辺に対向する第２辺を有する第２実装基板と、を含み、
前記空間は、前記第１辺と前記第２辺との間の隙間を含む、
請求項１の光源ユニット。
【請求項３】
前記空間は、前記第１辺と前記第２辺との少なくとも一方に形成された切欠きを含む、
請求項２の光源ユニット。
【請求項４】
前記光源モジュールは、前記第１実装基板における前記取付板とは反対側の面に実装される発光素子の第１グループと、前記第２実装基板における前記取付板とは反対側の面に実装される発光素子の第２グループと、を含み、
前記第１グループは、前記所定方向に沿って所定間隔で並ぶ発光素子の１以上の列を含み、
前記第２グループは、前記所定方向に沿って前記所定間隔で並ぶ発光素子の１以上の列を含み、
前記所定方向における前記空間の寸法は、前記所定間隔未満である、
請求項２又は３の光源ユニット。
【請求項５】
前記所定方向における前記開口の寸法は、前記所定間隔以下である、
請求項４の光源ユニット。
【請求項６】
前記光源モジュールは、実装基板を有し、
前記空間は、前記実装基板を貫通する孔である、
請求項１の光源ユニット。
【請求項７】
前記光源モジュールは、前記実装基板における前記取付板とは反対側の面に実装される発光素子のグループを含み、
前記発光素子のグループは、前記所定方向に沿って所定間隔で並ぶ発光素子の列を含み、
前記空間は、前記発光素子の列のうち隣り合う２つの発光素子の間に位置し、
前記所定方向における前記空間の寸法は、前記所定間隔未満である、
請求項６の光源ユニット。
【請求項８】
前記所定方向における前記開口の寸法は、前記所定間隔以下である、
請求項７の光源ユニット。
【請求項９】
更に、前記光源モジュールを覆うように前記取付板の前記第１面に取り付けられる透光性のカバーを備え、
前記アンテナ部は、前記開口及び前記空間を通って前記取付板の前記第１面から突出し、
前記カバーと前記アンテナ部との距離は、前記アンテナ部の影が前記カバーに写らない長さである、
請求項１の光源ユニット。
【請求項１０】
前記光源モジュールは、所定方向に沿って並ぶ発光素子の列を含み、
前記空間は、前記発光素子の列のうち隣り合う２つの発光素子の間に位置する、
請求項９の光源ユニット。
【請求項１１】
前記無線モジュールは、光信号を受け取る受光部を有し、
前記受光部は、前記開口及び前記空間から露出する、
請求項１〜１０のいずれか一つの光源ユニット。
【請求項１２】
更に、点灯回路を備え、
前記無線モジュールは、前記アンテナ部を通じて無線信号を受信するように構成され、
前記点灯回路は、前記無線モジュールで受信した前記無線信号に応じて前記光源モジュールを制御するように構成される、
請求項１〜１１のいずれか一つの光源ユニット。
【請求項１３】
請求項１〜１２のいずれか一つの光源ユニットと、
前記光源ユニットを支持する器具本体と、
を備える、
照明器具。
【発明の詳細な説明】
【技術分野】
【０００１】
本発明は、光源ユニット及び照明器具に関する。より詳細には、本発明は、光源モジュール及び無線モジュールを備える光源ユニット、及び、当該光源ユニットと当該光源ユニットを支持する器具本体とを備える照明器具に関する。
【背景技術】
【０００２】
特許文献１は、照明用モジュール（光源ユニット）を開示する。特許文献１の照明用モジュールは、内部が空洞である照明用管と、前記照明用管の端部に固着され、電源供給用の端子を含む照明用管端子部とを含む筐体を有し、照明用管内に照明部（光源モジュール）とアンテナ部（無線モジュール）とが配置されている。
【先行技術文献】
【特許文献】
【０００３】
【特許文献１】特開２０１５−６９７７４号公報
【発明の概要】
【発明が解決しようとする課題】
【０００４】
特許文献１では、照明部は、照明用管端子部間で支持され、アンテナ部は照明用管端子部の一方に支持されている。そのため、このような照明用モジュールでは強度に不安があった。
【０００５】
本発明の目的は、強度の向上を図りつつ無線通信の精度を向上でき、その上、絶縁性能を確保できる光源ユニット、及び、照明器具を提供することである。
【課題を解決するための手段】
【０００６】
本発明の一態様に係る光源ユニットは、厚み方向の第１面及び第２面を有する取付板と、前記取付板の前記第１面に取り付けられる光源モジュールと、アンテナ部を有し前記取付板の前記第２面に取り付けられる無線モジュールと、を備える。前記取付板は、前記取付板を前記厚み方向に貫通し、前記無線モジュールの前記アンテナ部を露出させる開口を有する。前記光源モジュールは、前記開口から露出した前記アンテナ部を露出させる空間を有する。前記開口は、前記取付板の前記厚み方向に直交する所定方向において前記空間が前記開口内に収まる大きさである。
【０００７】
本発明の一態様に係る照明器具は、上記態様の光源ユニットと、前記光源ユニットを支持する器具本体と、を備える。
【発明の効果】
【０００８】
本発明の態様によれば、強度の向上を図りつつ無線通信の精度を向上でき、その上、絶縁性能を確保できる。
【図面の簡単な説明】
【０００９】
【図１】図１は、一実施形態に係る照明器具の斜視図である。
【図２】図２は、上記照明器具の分解斜視図である。
【図３】図３は、上記照明器具の光源ユニットの一部を切り欠いた底面図である。
【図４】図４は、上記光源ユニットの平面図である。
【図５】図５は、上記光源ユニットの側面図である。
【図６】図６は、上記光源ユニットの部分断面図である。
【図７】図７は、上記光源ユニットの一部の部材を省略した平面図である。
【図８】図８は、上記光源ユニットの一部の部材を省略した底面図である。
【図９】図９は、図８の部分拡大図である。
【図１０】図１０は、上記照明器具の器具本体の底面図である。
【図１１】図１１は、上記照明器具の本体部を省略した斜視図である。
【図１２】図１２は、図１０のＡ−Ａ線部分断面図である。
【図１３】図１３は、変形例の光源ユニットの庭面図である。
【図１４】図１４は、図１３の光源ユニットの平面図である。
【図１５】図１５は、図１３の光源ユニットの左側面図である。
【図１６】図１６は、図１３の光源ユニットを備える照明器具の斜視図であって、光源ユニットを器具本体に仮吊りしている状態を示す。
【図１７】図１７は、図１３の光源ユニットを備える照明器具の斜視図であって、光源ユニットを器具本体に取り付けた状態を示す。
【図１８】図１８は、別の変形例の光源ユニットの一部の部材を省略した平面図である。
【図１９】図１９は、図１８の光源ユニットの一部の部材を省略した底面図である。
【図２０】図２０は、図１９の部分拡大図である。
【図２１】図２１Ａ及び図２１Ｂは、別の変形例の光源ユニットの一部の部材を省略した底面図である。
【図２２】図２２Ａ及び図２２Ｂは、別の変形例の光源ユニットの一部の部材を省略した底面図である。
【発明を実施するための形態】
【００１０】
１．実施形態
１．１  概要
一実施形態では、図１及び図２に示すように、照明器具１は、光源ユニット２と、光源ユニット２を支持する器具本体１０と、を備えている。光源ユニット２は、図２及び図３に示すように、２つのＬＥＤ（Ｌｉｇｈｔ  Ｅｍｉｔｔｉｎｇ  Ｄｉｏｄｅ）モジュール２０を有し、２つのＬＥＤモジュール２０が光源モジュール２８を構成する。また、光源ユニット２は、図４及び図５に示すように、無線モジュール２９を有している。光源ユニット２は、更に、図５及び図６に示すように、取付板２２０を有している。取付板２２０は金属製である。取付板２２０は、厚み方向の第１面２２０１及び第２面２２０２を有する。光源モジュール２８（２つのＬＥＤモジュール２０）は、取付板２２０の厚み方向の第１面２２０１（図６では下面）に取り付けられている。一方で、無線モジュール２９は、取付板２２０の厚み方向の第２面２２０２（図６では上面）に取り付けられている。無線モジュール２９は、アンテナ部２９１を有しており、アンテナ部２９１は、光源モジュール２８の空間２０３及び取付板２２０の開口２２２により露出している。開口２２２は、取付板２２０の厚み方向に直交する所定方向（第１方向、図６の左右方向）において空間２０３が開口２２２内に収まる大きさである。
【００１１】
この光源ユニット２では、取付板２２０が金属製であるから、樹脂製である場合に比べて取付板２２０の強度の向上を図ることができる。また、無線モジュール２９のアンテナ部２９１は開口２２２及び空間２０３により露出しており、電波が取付板２２０及び光源モジュール２８によって遮られない。よって、無線モジュール２９による無線通信の精度を向上できる。更に、開口２２２は、所定方向（図６の左右方向）において空間２０３が開口２２２内に収まる大きさである。つまり、開口２２２は、所定方向において、空間２０３より広がっている。そのため、開口２２２が空間２０３と同じ大きさである場合に比べれば、光源モジュール２８の回路部分（光源モジュール２８における取付板２２０とは反対側の部分）と取付板２２０との距離（沿面距離）を長くできる。したがって、光源モジュール２８と取付板２２０との絶縁距離を確保できて、絶縁性能を確保できる。このように、光源ユニット２によれば、強度の向上を図りつつ無線通信の精度を向上でき、その上、絶縁性能を確保できる。この利点は、光源ユニット２を備える照明器具１においても同様である。
【００１２】
１．２  構成
以下、照明器具１について詳細に説明する。ここで、照明器具１は、造営材（例えば天井）に設置される照明器具である。なお、照明器具１は、造営材に直付けされてもよいし、造営材に埋込まれる形で設置されてもよい。
【００１３】
照明器具１は、図１及び図２に示すように、光源ユニット２と、光源ユニット２を支持する器具本体１０とを備えている。ただし、以下の説明では、特に断りのない限り、図２における上下方向、前後方向及び左右方向を照明器具１（光源ユニット２及び器具本体１０）の上下方向、前後方向及び左右方向と規定する。
【００１４】
光源ユニット２は、図３〜図５に示すように、光源モジュール２８（２つのＬＥＤモジュール２０）と、カバー２１と、取付部材２２と、ユニットカバー２３と、電源ユニット２４と、無線モジュール２９と、２つの取付ばね２６とを備えている。
【００１５】
取付部材２２は、正方形の取付板２２０と、取付板２２０の４つの辺からそれぞれ下向きに突出する４つの側板２２１とを有している（図４及び図５参照）。取付板２２０と４つの側板２２１とは、金属板により一体に形成されている。具体的には、取付板２２０と４つの側板２２１とは、亜鉛鋼板などの金属板が曲げ加工されて一体に形成されている。取付板２２０は金属製であり、樹脂製である場合に比べて取付板２２０の強度の向上を図ることができる。取付板２２０は、厚み方向の第１面２２０１及び第２面２２０２を有している。第１面２２０１と第２面２２０２とは取付板２２０の互いに反対側の面である。４つの側板２２１の各々は、細長い台形状に形成されている。また、取付部材２２は、図７に示すように、取付板２２０を厚み方向に貫通する開口２２２を有する。開口２２２は、光源ユニット２の前後方向の寸法が左右方向より長い矩形状であり、取付板２２０の左右方向の中央部の前よりに形成されている。開口２２２は、無線モジュール２９のアンテナ部２９１を露出させるために設けられている。
【００１６】
光源モジュール２８は、図８に示すように、２つのＬＥＤモジュール２０（２０ａ，２０ｂ）を有する。２つのＬＥＤモジュール２０ａ，２０ｂの各々は、長方形状の実装基板２０１（第１実装基板２０１ａ及び第２実装基板２０１ｂ）の実装面（下面）に複数の発光素子２００を実装して構成されている。複数の発光素子２００は、実装基板２０１の実装面に格子状に配置され、実装面に形成されている配線導体（銅はく）を介して互いに電気的に接続されている。また、各実装基板２０１の実装面には、配線導体を介して各発光素子２００と電気的に接続されたレセプタクルコネクタ２０２が実装されている。レセプタクルコネクタ２０２は、後述するように電源ユニット２４の出力線に結線されたプラグコネクタと抜き差し可能に接続される。
【００１７】
第１実装基板２０１ａ及び第２実装基板２０１ｂは、所定方向（図８の左右方向）に間隔Ｗ１０（図９参照）を空けて並ぶように、取付板２２０の第１面２２０１にねじ止めにより取り付けられている。なお、第１実装基板２０１ａ及び第２実装基板２０１ｂと取付板２２０の第１面２２０１との間には、電気絶縁性のシート２２３が配置されている。シート２２３は、取付板２２０の第１面２２０１のほぼ全面を覆う正方形状であるが、開口２２２を露出させる矩形状の窓孔２２３１を有している。窓孔２２３１は、開口２２２よりも全体的に大きい。
【００１８】
第１実装基板２０１ａ及び第２実装基板２０１ｂは、それぞれの短手方向が所定方向と平行しており、第１実装基板２０１ａの長辺の一方（第１辺）２０４と第２実装基板２０１ｂの長辺の一方（第２辺）２０５とが所定方向において互いに対向している。ここで、図９に示すように、第１実装基板２０１ａは、第１辺２０４に形成された切欠き２０６（２０６ａ）を有し、第２実装基板２０１ｂは、第２辺２０５に形成された切欠き２０６（２０６ｂ）を有する。これら切欠き２０６ａ，２０６ｂは所定方向（左右方向）で互いに対向している。各切欠き２０６は、所定方向（左右方向）において実装基板２０１の端から中央に行くにつれて、前後方向の寸法が小さくなる台形状である。第１実装基板２０１ａの切欠き２０６ａの底面と第２実装基板２０１ｂの切欠き２０６ｂの底面との間の隙間が、上述の空間２０３を形成している。換言すれば、空間２０３は、第１辺２０４と第２辺２０５との間の隙間を含むとともに、第１辺２０４と第２辺２０５とに形成された切欠き２０６ａ，２０６ｂを含む。このように、実装基板２０１間の隙間を空間２０３に利用しているから、空間２０３を実装基板２０１に形成する場合よりも、空間２０３を容易に形成できる。また、切欠き２０６によって、空間２０３の寸法Ｗ１１を維持したまま実装基板２０１間の間隔Ｗ１０を狭くでき、異なる実装基板２０１の発光素子２００間の距離を短くできる。
【００１９】
各発光素子２００は、ＬＥＤ（本実施形態では、白色光を放射する照明用白色ＬＥＤ）である。図８に示すように、複数の発光素子２００は、第１グループＧ１０と、第２グループＧ２０と、を含む。第１グループＧ１０は、第１実装基板２０１ａにおける取付板２２０とは反対側の面（実装面）に実装される発光素子２００のグループである。第１グループＧ１０は、メイングループＧ１１とサブグループＧ１２とを含む。メイングループＧ１１は、所定方向（左右方向）に沿って所定間隔Ｗ１４で並ぶ複数（図８では５個）の発光素子２００の複数の列（図８では９列）を含んでいる。また、発光素子２００の複数の列は、取付板２２０の厚み方向（上下方向）及び所定方向（第１方向、左右方向）にそれぞれ直交する方向（第２方向、前後方向）に所定間隔Ｗ１５を空けて並んでいる。つまり、メイングループＧ１１は、格子状（図８では５×９のマトリクス状）に配置された発光素子２００のグループである。サブグループＧ１２は、メイングループＧ１１の発光素子２００が配置された矩形状の実装領域の３辺を囲うように配置された発光素子２００のグループである。特に、サブグループＧ１２は、実装領域の第１辺２０４側を除く３辺を囲う。第２グループＧ２０は、メイングループＧ２１とサブグループＧ２２とを含む。メイングループＧ２１は、所定方向（左右方向）に沿って所定間隔Ｗ１４で並ぶ複数（図８では５個）の発光素子２００の複数の列（図８では９列）を含んでいる。また、発光素子２００の複数の列は、取付板２２０の厚み方向（上下方向）及び所定方向（左右方向）にそれぞれ直交する方向（前後方向）に所定間隔Ｗ１５を空けて並んでいる。つまり、メイングループＧ２１は、格子状（図８では５×９のマトリクス状）に配置された発光素子２００のグループである。サブグループＧ２２は、メイングループＧ２１の発光素子２００が配置された矩形状の実装領域の３辺を囲うように配置された発光素子２００のグループである。特に、サブグループＧ２２は、実装領域の第２辺２０５側を除く３辺を囲う。
【００２０】
上述したように、第１実装基板２０１ａ及び第２実装基板２０１ｂは、所定方向（図９の左右方向）に間隔Ｗ１０を空けて並ぶ。ここで、所定方向における空間２０３の寸法Ｗ１１は、所定方向における切欠き２０６の寸法と間隔Ｗ１０との合計値である。取付板２２０の開口２２２は、所定方向において空間２０３が開口２２２内に収まる大きさである。つまり、所定方向における開口２２２の寸法Ｗ１２は、空間２０３の寸法Ｗ１１よりも大きい。したがって、開口２２２が空間２０３と同じ大きさである場合に比べれば、光源モジュール２８の回路部分（例えば発光素子２００及び配線導体を含む部分）と取付板２２０との沿面距離（絶縁距離）を長くできる。ここで、開口２２２の大きさは、絶縁距離が４．５ｍｍ以上となるようにしてある。なお、絶縁距離は、光源ユニット２で使用する電圧が１００Ｖであれば１．５ｍｍ以上、３００Ｖであれば２．５ｍｍ以上とすることが好ましい。また、シート２２３の窓孔２２３１は、所定方向において開口２２２が窓孔２２３１内に収まる大きさである。つまり、所定方向における窓孔２２３１の寸法Ｗ１３は、開口２２２の寸法Ｗ１２よりも大きい。これによって、シート２２３がアンテナ部２９１の邪魔になり難い。ここで、空間２０３の幅Ｗ１１も、発光素子２００の所定間隔Ｗ１４未満である。そのため、異なる実装基板２０１間に亘って発光素子２００を所定方向に等間隔で配置しやすくなる。また、所定方向における開口２２２の寸法Ｗ１２は、所定間隔Ｗ１４以下である。そのため、異なる実装基板２０１間に亘って発光素子２００を所定方向に等間隔でより配置しやすくなる。
【００２１】
そして、空間２０３の幅Ｗ１１は、メイングループＧ１１の最も第１辺２０４側の発光素子２００とメイングループＧ２１の最も第２辺２０５側の発光素子２００との間隔が所定間隔Ｗ１４と等しくなるように設定される。これによって、第１グループＧ１０のメイングループＧ１１と第２グループＧ２０のメイングループＧ２１とが、所定間隔Ｗ１４で格子状（図８では１０×９のマトリクス状）に配置された発光素子２００のグループを構成する。このように、異なる実装基板２０１に実装された複数の発光素子２００を等間隔で並べることが可能になる。この場合、空間２０３は、発光素子２００の列のうち隣り合う２つの発光素子の間に位置していることになる。なお、第１グループＧ１０のサブグループＧ１２と第２グループＧ２０のサブグループＧ２２とによって、メイングループＧ１１，Ｇ２１の格子状に配置された発光素子２００のグループを囲うように配置された発光素子２００のグループを構成する。
【００２２】
また、取付板２２０の開口２２２は、第２方向（前後方向）において空間２０３が開口２２２内に収まる大きさである。つまり、第２方向における開口２２２の寸法は、空間２０３の寸法よりも大きい。換言すれば、取付板２２０の厚み方向に直交する面内において、空間２０３は開口２２２内に位置する。ただし、第２方向では、空間２０３は、いずれの発光素子２００とも並んでいない。そのため、第２方向では、必ずしも、空間２０３が開口２２２内に収まっていなくてもよい。また、シート２２３の窓孔２２３１は、第２方向において開口２２２が窓孔２２３１内に収まる大きさである。つまり、所定方向における窓孔２２３１の寸法は、開口２２２の寸法よりも大きい。換言すれば、取付板２２０の厚み方向に直交する面内において、開口２２２は窓孔２２３１内に位置する。これによって、シート２２３がアンテナ部２９１の邪魔になり難い。
【００２３】
無線モジュール２９は、本体部２９０と、本体部２９０の一面（下面）から突出するアンテナ部２９１とを有する（図６参照）。アンテナ部２９１は、図５に示すように、略直方体状であり、本体部２９０とは反対側の面が凸面となっている。また、アンテナ部２９１は、アンテナを内蔵している。アンテナは、例えば、基板の一面に形成された導体パターンで構成される平面アンテナである。なお、アンテナは、平面アンテナに限らず、立体アンテナであってもよい。また、無線モジュール２９は、光信号を受け取る受光部２９２（図９参照）を有している。この受光部２９２により光源ユニット２との光通信が可能になる。受光部２９２は、本体部２９０の一面（下面）に設けられている。受光部２９２は、光信号を受け取るように構成されている。本実施形態では、受光部２９２は、赤外線受光素子を備えており、光信号は、赤外線信号である。光信号は、赤外線信号等の可視光領域外の光信号に限らず、可視光領域の光信号であってもよい。本体部２９０は、略直方体状であり、回路ブロックを内蔵している。回路ブロックは、アンテナ部２９１を通じて無線信号（電波を媒体とする信号）の送受信を行う通信機能を有している。回路ブロックは、例えば、アンテナ部２９１を介して受け取った無線信号を、電源ユニット２４に対応した制御信号（第１制御信号）に変換するように構成される。また、回路ブロックは、受光部２９２で受け取った光信号を、電源ユニット２４に対応した制御信号（第２制御信号）に変換するように構成される。
【００２４】
無線モジュール２９は、図６に示すように、取付板２２０の第２面２２０２に取り付けられる。このとき、図９に示すように、アンテナ部２９１及び受光部２９２は、取付板２２０の開口２２２、シート２２３の窓孔２２３１、及び、光源モジュール２８の空間２０３から露出する。そのため、取付板２２０、シート２２３、及び光源モジュール２８によって無線信号（電波）が遮られる可能性を低減でき、無線モジュール２９による無線通信の精度を向上できる。また、取付板２２０、シート２２３、及び光源モジュール２８によって光信号（電波）が遮られる可能性を低減でき、無線モジュール２９が受光部２９２で光信号を受け取る確率を向上できる。また、アンテナ部２９１は、図９に示すように、開口２２２、窓孔２２３１、及び空間２０３を通って取付板２２０の第１面２２０１から突出している。なお、無線モジュール２９の本体部２９０と取付板２２０の第２面２２０２との間にはパッキン２２４が介在されている。パッキン２２４は、開口２２２を囲う枠状であり、異物の侵入を抑制するために設けられている。
【００２５】
電源ユニット２４は、光源モジュール２８を制御する点灯回路である。電源ユニット２４は、プリント配線板２４１に電子部品が実装されて構成された電源回路と、この電源回路を収容するケース２４０とを有している（図４及び図５参照）。電源回路は、入力コネクタ、整流器、力率改善回路、降圧型のＤＣ／ＤＣコンバータ、出力コネクタ２４２、制御用コネクタなどを備える。入力コネクタは、後述する第１端子台１４を介して電源線１４０と電気的に接続される（図１０参照）。電源回路は、入力コネクタから入力する交流電力を直流電力に変換した後、変換後の直流電力を出力コネクタ２４２から電線（出力線）を介して出力する。直流電力は、出力線の先端に結線されたプラグコネクタ及びレセプタクルコネクタ２０２を介して各ＬＥＤモジュール２０の各発光素子２００に供給される。
【００２６】
また、電源回路は、無線モジュール２９で受信した無線信号（第１制御信号）に応じて光源モジュール２８を制御するように構成される。例えば、電源回路は、無線モジュール２９から制御用コネクタに入力される第１制御信号が調光信号であれば、出力コネクタ２４２から出力する直流電力を増減し、ＬＥＤモジュール２０の光出力を調整（調光）するように構成されている。つまり、電源回路は、光源モジュール２８の光出力を調光信号の示す調光レベルに対応する値に設定する。また、電源回路は、無線モジュール２９から制御用コネクタに入力される第１制御信号が点灯信号であれば光源モジュール２８を点灯し、消灯信号であれば光源モジュール２８を消灯する。電源ユニット２４により、光源ユニット２の遠隔制御が可能になる。また、電源回路は、無線モジュール２９で受信した光信号（第２制御信号）に応じて設定情報を変更するように構成される。設定情報は、例えば、無線モジュール２９で受信する無線信号の送信元の情報を含み得る。つまり、光信号によって、照明器具１とリモートコントローラとの関連付けを変更することができる。
【００２７】
プリント配線板２４１は、長尺の矩形平板状の絶縁基板の部品面に配線導体（銅はく）が形成されている。プリント配線板２４１の表面に、入力コネクタ、出力コネクタ２４２、制御用コネクタ、平滑コンデンサ、チョークコイルなどの、いわゆるリード部品が実装される。そして、プリント配線板２４１のはんだ面に電源回路を構成している電子部品のうちの表面実装部品が実装される。ただし、入力コネクタ及び制御用コネクタは、プリント配線板２４１の長手方向の一端に実装され、出力コネクタ２４２は、プリント配線板２４１の長手方向の他端に実装されている。ケース２４０は、図４及び図５に示すように、金属製の板材によって長尺の箱状に形成されている。ケース２４０は、入力コネクタ及び出力コネクタ２４２を露出するようにしてプリント配線板２４１を内部に収容している。電源ユニット２４は、取付板２２０の上面における前端に、ケース２４０の長手方向を左右方向に一致させるようにして取付板２２０にねじ止めされている。
【００２８】
カバー２１は、透光性を有している。カバー２１は、正方形状の底部２１０（図３参照）と、底部２１０の周縁から上向きに立ち上がる周壁部２１１（図５参照）と、周壁部２１１の上端に設けられた４つの爪部２１２（図４参照）とを有している。底部２１０と周壁部２１１と４つの爪部２１２は、アクリル樹脂やポリカーボネート樹脂などの透光性を有する合成樹脂材料によって一体に形成される。また、少なくとも底部２１０及び周壁部２１１は、その表面にシボ加工が施されることによって光を拡散するように構成される。あるいは、少なくとも底部２１０及び周壁部２１１は、合成樹脂材料に拡散剤が混入されることによって光を拡散するように構成されてもよい。各爪部２１２は鈎形に形成されて周壁部２１１の上端における長手方向（前後方向又は左右方向）の中央から上向きに突出している。
【００２９】
カバー２１は、取付部材２２の側板２２１の内側に周壁部２１１を収めるようにして取付部材２２に取り付けられる（図５参照）。ここで、取付部材２２の取付板２２０において、カバー２１の４つの爪部２１２と対応する位置、すなわち、取付板２２０の４つの辺における長手方向の中央に貫通孔が１つずつ設けられている。各爪部２１２は、取付板２２０の下から上に向かって対応する貫通孔に挿通され、取付板２２０の上面における貫通孔の縁に引っ掛かる（図４及び図５参照）。その結果、カバー２１は、側板２２１の内側に周壁部２１１を収めるようにして取付部材２２の取付板２２０に取り付けられる。このようにして、カバー２１は、光源モジュール２８を覆うように取付板２２０の第１面２２０１に取り付けられる。ここで、カバー２１とアンテナ部２９１との距離Ｌ１０は、アンテナ部２９１の影がカバー２１に写らない長さである。換言すれば、アンテナ部２９１はカバー２１の底部２１０から、底部２１０を通してアンテナ部２９１が見えない程度に離してある。特に、光源モジュール２８の点灯時であっても、底部２１０を通してアンテナ部２９１が見えないようにしておくことが好ましい。
【００３０】
取付ばね２６は、コイル部２６０と、２本の腕部と、端末部２６３とを有するねじりコイルばねで構成されている。２本の腕部のうちで長い方の腕部を第１腕部２６１と呼び、短い方の腕部を第２腕部と呼ぶ。第１腕部２６１は、引掛片２６４と、第１腕片２６５と、第２腕片２６６とを有している。第１腕片２６５は、コイル部２６０の端末からコイル部２６０の径方向に突出している。ただし、第１腕片２６５の長手方向における複数箇所（例えば、２箇所）が同じ向き（下向き）に曲げられている（図５参照）。引掛片２６４は、前後方向から見てＵ字状に形成され、長手方向の一端で第１腕片２６５の先端とつながり、長手方向の他端で第２腕片２６６の先端とつながっている（図９参照）。第２腕片２６６の後端は、端末部２６３とつながっている。ただし、第２腕片２６６の長手方向における複数箇所（例えば、２箇所）が同じ向き（下向き）に曲げられている。端末部２６３は、第２腕片２６６の後端から引掛片２６４とほぼ平行に突出している。第２腕部は、コイル部２６０の端末から第１腕部２６１とは反対の方向（取付板２２０の中心に向かう方向）に突出している。図４及び図５では、第２腕部は、ユニットカバー２３で隠れている。
【００３１】
ユニットカバー２３は、図４に示すように、平坦部２３０と、湾曲部２３１と、３つの取付部２３２とを有している。なお、平坦部２３０と、湾曲部２３１と、３つの取付部２３２とは、亜鉛鋼板などの金属板によって一体に構成されている。
【００３２】
平坦部２３０は、平板状に形成されている。平坦部２３０の後端（図４における下端）に湾曲部２３１がつながっている。湾曲部２３１は、平坦部２３０の後端から上方へ突出するように湾曲している。ただし、湾曲部２３１の前半部分は平坦部２３０から離れるにつれて緩やかに湾曲し、湾曲部２３１の後半部分は湾曲部２３１の頂点から下方に向かって急激に湾曲している（図５参照）。３つの取付部２３２は、平坦部２３０の前端（図４における上端）と、平坦部２３０の右端と、湾曲部２３１の後端とに１つずつ設けられている。また、湾曲部２３１は、矩形の通気孔２３１０を有している。
【００３３】
３つの取付部２３２はほぼ同一の構成を有している。取付部２３２は、第１支持部２３３と、第２支持部２３４（図５参照）とを有している。第１支持部２３３は、幅細の板状に形成されている（図４参照）。第１支持部２３３は、取付ばね２６のコイル部２６０に挿通されてコイル部２６０の軸回りに回転可能にコイル部２６０を支持することが可能である（図５参照）。第２支持部２３４は平板状に形成され、平坦部２３０の端縁から下向きに突出している。第２支持部２３４は、厚み方向に貫通する孔２３４０を有している（図５参照）。この孔２３４０は、取付ばね２６の端末部２６３が挿通可能な大きさに形成されている。第２支持部２３４は、孔２３４０に挿通される端末部２６３を支持することが可能である。
【００３４】
ユニットカバー２３は、湾曲部２３１を挟んで前後方向に対向する２つの取付部２３２のそれぞれに取付ばね２６が取り付けられた状態で取付部材２２の取付板２２０に固定される。ここで、取付板２２０の上面（第２面２２０２）には複数のねじ止め部２２６が設けられている（図５参照）。各ねじ止め部２２６は、取付板２２０の上面から上向きに突出した円錐台形状の突起と、突起の上面に設けられためねじとを有している。ユニットカバー２３は、複数のねじ止め部２２６の上に載せられた状態でユニットカバー２３に設けられた複数のねじ挿通孔に各別に挿通された複数の固定ねじ２２７がねじ止め部２２６のめねじにねじ込まれることによって取付部材２２に固定される（図４参照）。ただし、取付部材２２の取付板２２０とユニットカバー２３の平坦部２３０との間には、各ねじ止め部２２６の高さ寸法に等しい空間が形成される。この空間には、第１端子台１４と電源ユニット２４との間の電路となる電源線や無線モジュール２９と電源ユニット２４との間の電路となる信号線などが収容される。つまり、ユニットカバー２３は、これらの電源線や信号線を上から覆うことにより、吊りボルトなどから電源線や信号線を保護する機能を有している。なお、湾曲部２３１は電源ユニット２４を上から覆っているが、通気孔２３１０を通して電源ユニット２４の発する熱を湾曲部２３１の外（上）に逃がすことができる。
【００３５】
器具本体１０は、図２に示すように、造営材（天井）に取り付けられる本体部１１と、本体部１１に着脱可能に結合されて本体部１１を覆う本体カバー１２とを有している。
【００３６】
本体部１１は、亜鉛鋼板などの金属材料により、下面が開放された浅い箱状に形成されている。なお、上下方向から見た本体部１１の外形は正方形である。本体部１１の底面の中央に円形の電源孔１１０が設けられている。本体部１１の底面における電源孔１１０の近傍に第１端子台１４と第２端子台１５が配置されている。図１０に示すように、第１端子台１４は電源孔１１０に挿通される電源ケーブル１６と電気的に接続される。また第２端子台１５は電源孔１１０に挿通される信号ケーブルと電気的に接続される。更に第１端子台１４から引き出された電源線１４０の先端にプラグコネクタ１７が取り付けられている。なお、第２端子台１５からは信号線１５０が引き出されている。
【００３７】
本体部１１の底面には複数のボルト挿通孔１１１も設けられている（図２参照）。これら複数のボルト挿通孔１１１は、長軸の方向を本体部１１の前後方向に一致させた長円形に形成されている。本体部１１は、これら複数のボルト挿通孔１１１のうちの少なくとも２つのボルト挿通孔１１１に挿通される吊りボルトにナットが締め付けられることによって天井に取り付けられる。
【００３８】
さらに、本体部１１の底面には４つの引掛ばね１３が設けられている。各引掛ばね１３は、コイル部１３０と２本の腕部１３１，１３２とを有するねじりコイルばねで構成されている。２本の腕部１３１，１３２のうちで長い方の腕部を第１腕部１３１と呼び、短い方の腕部を第２腕部１３２と呼ぶ。第１腕部１３１の先端は鉤形に曲げられている（図２参照）。
【００３９】
各引掛ばね１３は、金具１３３によって本体部１１に取り付けられている（図２参照）。金具１３３は、引掛ばね１３のコイル部１３０を、コイル部１３０の軸回りに回転可能かつコイル部１３０の軸方向に移動可能に支持するように構成されている。
【００４０】
４つの引掛ばね１３のうちの２つの引掛ばね１３は、本体部１１の底面において電源孔１１０の前方に左右方向に並べて取り付けられている。また、４つの引掛ばね１３のうちの残り２つの引掛ばね１３は、本体部１１の底面において電源孔１１０の後方に左右方向に並べて取り付けられている（図２参照）。ただし、左右方向に並ぶ２つの引掛ばね１３は、各々の第２腕部１３２同士を隣り合わせるように配置されている。
【００４１】
本体カバー１２は、亜鉛鋼板などの金属材料により、上下方向から見た形状が正方形である開口部１２０を有する枠状に形成されている。なお、本体カバー１２における開口部１２０の外側の部分（第１部分１２１）が開口部１２０を底面（上底）とする正四角錐台の錐体面となる形状に形成されている。更に、本体カバー１２における第１部分１２１の外側の部分（第２部分１２２）が第１部分１２１の周縁を底面（上底）の四辺とする正四角錐台の錐体面となる形状に形成されている。第１部分１２１及び第２部分１２２の下面は白色の塗料で塗装されている。
【００４２】
本体カバー１２は、図１１に示すように、開口部１２０の４つの縁のそれぞれから上向き（本体部１１に近付く向き）に突出する突壁（第１〜第４の突壁１２３〜１２６）を有している。すなわち、第１の突壁１２３は開口部１２０の前方の縁から突出し、第３の突壁１２５は開口部１２０の後方の縁から突出し、第２の突壁１２４は開口部１２０の右方の縁から突出し、第４の突壁１２６は開口部１２０の左方の縁から突出している。つまり、第１の突壁１２３と第３の突壁１２５が開口部１２０を挟んで前後方向に対向し、第２の突壁１２４と第４の突壁１２６が開口部１２０を挟んで左右方向に対向している。
【００４３】
第１の突壁１２３は、開口部１２０の前方の縁から上向きに突出した平板状の主片１２３０と、主片１２３０の上端から開口部１２０と平行に突出する固定片１２３１とを有している。同じく第３の突壁１２５は、開口部１２０の後方の縁から上向きに突出した平板状の主片１２５０と、主片１２５０の上端から開口部１２０と平行に突出する固定片１２５１とを有している（図１１参照）。第１の突壁１２３の主片１２３０の長手方向（左右方向）の中央に引掛部１２７Ａが設けられている（図１１参照）。第３の突壁１２５の主片１２５０の長手方向の中央に引掛部１２７Ｂが設けられている（図１１参照）。引掛部１２７Ｂは、図２に示すように、第３の突壁１２５の主片１２５０を厚み方向（前後方向）に貫通する逆Ｕ字状の貫通孔を有している。引掛部１２７Ａは、図１２に示すように第１の突壁１２３の主片１２３０を厚み方向（前後方向）に貫通する逆Ｕ字状の貫通孔を有している。更に、引掛部１２７Ａは、貫通孔の下側の縁から上向きに突出する長方形状の仮保持片１２７０と、貫通孔の上側の縁から下向きに突出する三角形状の２つの突起１２７１とを有している。
【００４４】
第１の突壁１２３の固定片１２３１並びに第３の突壁１２５の固定片１２５１のそれぞれに２つの引掛部（ばね引掛部）１２８が設けられている（図１０参照）。第１の突壁１２３において、２つの引掛部１２８は、第１の突壁１２３の固定片１２３１の長手方向（左右方向）の両側に位置している。第３の突壁１２５において、２つの引掛部１２８は、第３の突壁１２５の固定片１２５１の長手方向（左右方向）の両側に位置している。
【００４５】
第２の突壁１２４は矩形の板状に形成されている。そして、第２の突壁１２４の長手方向（前後方向）の中央に引掛部１２７Ｃが設けられている（図１１参照）。第２の突壁１２４に設けられた引掛部１２７Ｃは、第２の突壁１２４を厚み方向（左右方向）に貫通する逆Ｕ字状の貫通孔を有している。
【００４６】
第４の突壁１２６の上下方向の高さ寸法は、第１〜第３の突壁１２３〜１２５の上下方向の高さ寸法よりも小さい（図１１参照）。また、第４の突壁１２６は、その長手方向の両側の端部１２６０の高さ寸法よりも、両側の端部１２６０を除く部分（引掛部１２９）の高さ寸法よりも小さくなるように形成されている（図１１参照）。なお、引掛部１２９の長手方向の両端に、下向きに凹んだ凹部１２９０がそれぞれ設けられている。
【００４７】
本体カバー１２は、本体部１１が有する４つの引掛ばね１３の第１腕部１３１が各引掛ばね１３に対応する引掛部１２８に引っ掛けられることにより、各引掛ばね１３のばね力によって本体部１１と結合される（図１０参照）。
【００４８】
１．３  施工作業
次に、照明器具１を天井に施工する作業について説明する。まず、施工作業を行う作業者は、本体部１１の電源孔１１０に電源ケーブル１６および信号ケーブルを挿通した後、ボルト挿通孔１１１に挿通した吊りボルトにナットを締め付けることで本体部１１を天井に取り付ける。また、作業者は、電源孔１１０から引き込んだ電源ケーブル１６を第１端子台１４に結線するとともに電源孔１１０から引き込んだ信号ケーブルを第２端子台１５に結線する。続いて作業者は、本体部１１に本体カバー１２を取り付ける。作業者は、本体部１１の４つの引掛ばね１３のうちの１つの引掛ばね１３の第１腕部１３１を下に引張り、４つの引掛部１２８のうちの対応する１つの引掛部１２８に第１腕部１３１の先端を引っ掛ける。作業者は、残り３つの引掛ばね１３の第１腕部１３１の先端をそれぞれの引掛ばね１３と対応する引掛部１２８に１つずつ順番に引っ掛ける。それから、作業者は、４つの引掛ばね１３の第１腕部１３１の先端を４つの引掛部１２８に引っ掛けた状態で本体カバー１２を本体部１１に近付けるように上に持ち上げる。各引掛ばね１３の第１腕部１３１は、各引掛部１２８に引っ掛かったままで上向きに変位（回転）する。そして、本体部１１の下端縁が本体カバー１２の第１部分１２１の上面に当たると、４つの引掛部１２８に引っ掛けられた４つの引掛ばね１３のばね力によって本体部１１と本体カバー１２との結合状態が維持される（図１０参照）。
【００４９】
上述のような手順で器具本体１０が天井に取り付けられる。続いて、器具本体１０に光源ユニット２を取り付ける手順を説明する。作業者は、第１の突壁１２３に設けられた引掛部１２７Ａの貫通孔に前方の取付ばね２６の引掛片２６４を挿入し、引掛部１２７Ａの仮保持片１２７０に引掛片２６４を引っ掛けることで光源ユニット２を器具本体１０に仮保持させる。作業者は、光源ユニット２を器具本体１０に仮保持させた状態で第１端子台１４の電源線１４０及び第２端子台１５の信号線１５０と電源ユニット２４の結線作業を行う。結線作業の完了後、作業者は、第３の突壁１２５に設けられた引掛部１２７Ｂの貫通孔に後方の取付ばね２６の第１腕部２６１を挿入した後、光源ユニット２を持ち上げて本体カバー１２の開口部１２０内に収める。光源ユニット２が開口部１２０内に収められると、各取付ばね２６の第１腕部２６１が第１及び第３の突壁１２３、１２５の各引掛部１２７Ａ、１２７Ｂに引っ掛かる（図１１参照）。その結果、光源ユニット２は、２つの取付ばね２６のばね力によって器具本体１０（本体カバー１２）に支持される。以上のような手順で照明器具１の施工作業が完了する（図１参照）。
【００５０】
ここで、本体部１１と本体カバー１２を結合した器具本体１０に比べて、本体部１１及び本体カバー１２の方が軽量である。そのため、上述のように、本体部１１と本体カバー１２が別々に施工可能であれば、施工の手順は増えるものの作業者の作業負担の軽減を図ることができる。さらに、天井に取り付けられた器具本体１０に対して光源ユニット２が取り付けられる。その結果、照明器具１は、施工作業の作業性の向上を図ることが可能である。
【００５１】
さらに、光源ユニット２が本体カバー１２に取り付けられるので、光源ユニット２が本体部１１に取り付けられる場合と比較して、本体カバー１２と光源ユニット２との位置関係のばらつきの抑制を図ることができる。その結果、照明器具１は、本体カバー１２と光源ユニット２との位置関係のばらつきに起因した外観品質低下の抑制を図ることができる。
【００５２】
２．変形例
以上説明した実施形態は、本発明の様々な実施形態の一つに過ぎない。また、上記実施形態は、本発明の目的を達成できれば、設計等に応じて種々の変更が可能である。以下に、上記実施形態の変形例を列挙する。
【００５３】
２．１  光源ユニットの変形例
上記実施形態の照明器具１において、器具本体１０と組み合わされる光源ユニット２は上述した光源ユニット２に限定されない。例えば、以下に説明する光源ユニット２Ｘも器具本体１０と組み合わせることができる。なお、光源ユニット２Ｘの基本構成は光源ユニット２と共通である。したがって、以下の光源ユニット２Ｘの説明において、上述した光源ユニット２と共通の構成要素については同一の符号を付して適宜図示並びに説明を省略する。
【００５４】
光源ユニット２Ｘは、図１３〜図１５に示すように、一部分を取付部材２２の左端縁から取付部材２２の外に突出させた引掛部材２７を有している。引掛部材２７は平板部２７０と幅広部２７１とを有している。ただし、平板部２７０と幅広部２７１とは亜鉛鋼板などの金属板によって一体に形成されている。
【００５５】
平板部２７０は概ね矩形に形成されている。幅広部２７１は、平板部２７０の４つの辺のうちの１つの辺（図１３における左辺）から下向きに突出している。幅広部２７１の長手方向の長さ寸法は、幅広部２７１の長手方向に沿った平板部２７０の長手方向の長さ寸法よりも大きい。つまり、幅広部２７１は、その長手方向の両端に、平板部２７０の長手方向の両端の外に突出する突部２７２を有している。
【００５６】
引掛部材２７は、平板部２７０の短手方向（図１３における左右方向）におけるおおよそ半分の部分が取付部材２２の取付板２２０の上面に取り付けられる。なお、平板部２７０は、取付板２２０とユニットカバー２３の平坦部２３０との間に挟まれるようにして取付板２２０に固定される（図１４参照）。さらに、平板部２７０の短手方向における残り半分の部分には電源ユニット２４が取り付けられる。つまり、電源ユニット２４は、平板部２７０の上面に取り付けられることにより、点灯中のＬＥＤモジュール２０から放射される熱の影響を受け難くされている。
【００５７】
また、光源ユニット２Ｘにおいて、ユニットカバー２３の３つの取付部２３２のうちの右端（図１４においては左端）の取付部２３２にのみ取付ばね２６が取り付けられている（図１４参照）。
【００５８】
次に、光源ユニット２Ｘを器具本体１０に取り付ける手順を説明する。作業者は、開口部１２０から第４の突壁１２６と本体部１１の底面との間の隙間に引掛部材２７の幅広部２７１を挿入した後、第４の突壁１２６の両側の端部１２６０に幅広部２７１の両側の突部２７２を引っ掛ける。その結果、図１６に示すように、光源ユニット２Ｘが器具本体１０に仮吊りされる。作業者は、光源ユニット２を器具本体１０に仮吊りさせた状態で第１端子台１４の電源線１４０及び第２端子台１５の信号線１５０と電源ユニット２４の結線作業を行う。結線作業の完了後、作業者は、第２の突壁１２４に設けられた引掛部１２７Ｃの貫通孔に取付ばね２６の第１腕部２６１を挿入した後、光源ユニット２を持ち上げて本体カバー１２の開口部１２０内に収める。光源ユニット２が開口部１２０内に収められると、取付ばね２６の第１腕部２６１が第２の突壁１２４の引掛部１２７Ｃに引っ掛かる。また、引掛部材２７が開口部１２０から離れる向きに移動し、第４の突壁１２６に設けられた引掛部１２９に引掛部材２７が引っ掛けられる（図１７参照）。その結果、光源ユニット２Ｘは、１つの取付ばね２６と引掛部材２７とによって器具本体１０（本体カバー１２）に支持される。以上のような手順で照明器具１の施工作業が完了する。
【００５９】
また、照明器具１では、１種類の器具本体１０に対して、複数種類の光源ユニット２，２Ｘを着脱可能に取り付ける（組み合わせる）ことが可能である。そのため、器具本体１０の品種を削減して製造コスト及び在庫管理のコストの削減を図ることができる。
【００６０】
なお、引掛部材２７は、必ずしも幅広部２７１を備えている必要はない。平板部２７０は、電源ユニット２４を支持できるような大きさ、形状であればよく、特にその形状は限定されない。また、引掛部材２７は、取付板２２０と一体に形成されていてもよい。
【００６１】
２．２  光源モジュールの変形例
また、光源ユニット２は、図１８及び図１９に示すような光源モジュール２８Ａを有していてもよい。なお、光源モジュール２８Ａは、光源ユニット２Ｘにも適用できる。
【００６２】
光源モジュール２８Ａは、１つのＬＥＤモジュール２０（２０ｃ）を有する。ＬＥＤモジュール２０ｃは、正方形状の実装基板２０１（２０１ｃ）の実装面（下面）に複数の発光素子２００を実装して構成されている。複数の発光素子２００は、光源モジュール２８と同様に配置され、実装面に形成されている配線導体（銅はく）を介して互いに電気的に接続されている。また、実装基板２０１ｃの実装面には、配線導体を介して各発光素子２００と電気的に接続されたレセプタクルコネクタ２０２が実装されている。実装基板２０１ｃは、取付板２２０の第１面２２０１にねじ止めにより取り付けられている。
【００６３】
実装基板２０１ｃには、複数の発光素子２００のグループＧ３０が実装される。グループＧ３０は、メイングループＧ３１と、サブグループＧ３２と、を含む。メイングループＧ３１は、所定方向（第１方向、左右方向）に沿って所定間隔Ｗ１４で並ぶ複数（図１９では１０個）の発光素子２００の複数の列（図１９では９列）を含んでいる。また、発光素子２００の複数の列は、第２方向（前後方向）に所定間隔Ｗ１５を空けて並んでいる。つまり、メイングループＧ３１は、格子状（図１９では５×９のマトリクス状）に配置された発光素子２００のグループである。サブグループＧ３２は、メイングループＧ３１の発光素子２００が配置された矩形状の実装領域を囲うように配置された発光素子２００のグループである。
【００６４】
実装基板２０１ｃは、図１９に示すように、取付板２２０の開口２２２に対応する位置に、空間２０３Ａを有している。空間２０３Ａは、実装基板２０１ｃを貫通する孔である。したがって、実装基板２０１間の隙間を利用する場合に比べて、所望の位置に空間２０３Ａを設けやすくなる。また、空間２０３Ａは、所定方向よりも第２方向の寸法が長い長孔である。ここで、図２０に示すように、所定方向における空間２０３Ａの寸法Ｗ１６は、所定方向における開口２２２の寸法Ｗ１２よりも小さい。したがって、取付板２２０の開口２２２は、所定方向において空間２０３Ａが開口２２２内に収まる大きさである。ここで、空間２０３Ａの寸法Ｗ１６は、発光素子２００の所定間隔Ｗ１４未満である。そのため、実装基板２０１ｃに発光素子２００を所定方向に等間隔で配置しやすくなる。また、開口２２２の寸法Ｗ１２は、所定間隔Ｗ１４以下である。そのため、実装基板２０１ｃに発光素子２００を所定方向に等間隔でより配置しやすくなる。また、空間２０３Ａは、所定方向に並ぶ発光素子２００の列のうち隣り合う２つの発光素子の間に位置している。したがって、空間２０３Ａが存在していても、実装基板２０１ｃに複数の発光素子２００を等間隔で並べることができる。
【００６５】
また、空間２０３Ａは、第２方向（前後方向）において開口２２２内に収まる大きさである。つまり、第２方向における空間２０３Ａの寸法は、開口２２２の寸法よりも小さい。したがって、取付板２２０の厚み方向に直交する面内において、空間２０３Ａは開口２２２内に位置する。ただし、第２方向では、空間２０３Ａは、いずれの発光素子２００とも並んでいない。そのため、第２方向では、必ずしも、空間２０３Ａが開口２２２内に収まっていなくてもよい。
【００６６】
無線モジュール２９は、取付板２２０の第２面２２０２に取り付けられる。このとき、図２０に示すように、アンテナ部２９１及び受光部２９２は、取付板２２０の開口２２２、シート２２３の窓孔２２３１、及び、光源モジュール２８Ａの空間２０３Ａから露出する。そのため、上記実施形態と同様の効果が得られる。
【００６７】
また、光源ユニット２は、図２１Ａに示す光源モジュール２８Ｂを有していてもよい。光源モジュール２８Ｂは、２つのＬＥＤモジュール２０（２０ｄ，２０ｅ）を有する。２つのＬＥＤモジュール２０ｄ，２０ｅの各々は、長方形状の実装基板２０１（２０１ｄ，２０１ｅ）の実装面（下面）に複数の発光素子２００を実装して構成されている。実装基板２０１ｄ，２０１ｅは、取付板２２０の厚み方向及び所定方向にそれぞれ直交する方向（図２１Ａの上下方向）に間隔を空けて並ぶように、取付板２２０の第１面２２０１にねじ止めにより取り付けられている。実装基板２０１ｄは、ＬＥＤモジュール２０ｃと同様に、空間２０３Ａを有しているが、実装基板２０１ｅは、空間２０３Ａを有していない。つまり、光源モジュール２８Ｂでは、複数の実装基板２０１のうちの一つに、空間２０３Ａが設けられている。このような光源モジュール２８Ｂによっても、上記実施形態と同様の効果が得られ得る。なお、光源モジュール２８Ｂは、光源ユニット２Ｘにも適用できる。
【００６８】
また、光源ユニット２は、図２１Ｂに示す光源モジュール２８Ｃを有していてもよい。光源モジュール２８Ｃは、４つのＬＥＤモジュール２０（２０ｆ、２０ｇ、２０ｈ、２０ｉ）を有する。４つのＬＥＤモジュール２０ｆ〜２０ｉの各々は、正方形状の実装基板２０１（２０１ｆ〜２０１ｉ）の実装面（下面）に複数の発光素子２００を実装して構成されている。４つの実装基板２０１（２０１ｆ〜２０１ｉ）は、等間隔（間隔Ｗ１０に等しい）で格子状（２×２のマトリクス状）に並ぶように、取付板２２０の第１面２２０１にねじ止めにより取り付けられている。ここで、実装基板２０１ｆ（第１実装基板２０１ｆ）及び実装基板２０１ｇ（第２実装基板２０１ｇ）は、第１実装基板２０１ｆの一辺（第１辺）２０４と第２実装基板２０１ｇの一辺（第２辺）２０５とが所定方向において互いに対向している。ここで、第１実装基板２０１ｆは、第１辺２０４に形成された切欠き２０６を有し、第２実装基板２０１ｇは、第２辺２０５に形成された切欠き２０６を有する。これら切欠き２０６は所定方向（左右方向）で互いに対向している。光源モジュール２８Ｃにおいても、第１実装基板２０１ｆの切欠き２０６の底面と第２実装基板２０１ｇの切欠き２０６の底面との間の隙間が、空間２０３を形成している。つまり、光源モジュール２８Ｃでは、複数の実装基板２０１のうちの２つの実装基板２０１ｆ，２０１ｇ間の隙間が空間２０３として利用される。このような光源モジュール２８Ｃによっても、上記実施形態と同様の効果が得られ得る。なお、光源モジュール２８Ｃは、光源ユニット２Ｘにも適用できる。
【００６９】
また、光源ユニット２は、図２２Ａに示す光源モジュール２８Ｄを有していてもよい。光源モジュール２８Ｄは、２つのＬＥＤモジュール２０（２０ｊ、２０ｋ）を有する。ＬＥＤモジュール２０ｊは、正方形状の実装基板２０１（２０１ｊ）の実装面（下面）に複数の発光素子２００を実装して構成されている。ＬＥＤモジュール２０ｋは、Ｌ字状の実装基板２０１（２０１ｋ）の実装面（下面）に複数の発光素子２００を実装して構成されている。２つの実装基板２０１（第１実装基板２０１ｊ、第２実装基板２０１ｋ）は、図２２Ａに示すように、正方形の領域を形成するように、取付板２２０の第１面２２０１にねじ止めにより取り付けられている。ここで、第１実装基板２０１ｊ及び第２実装基板２０１ｋは、第１実装基板２０１ｊの一辺（第１辺）２０４と第２実装基板２０１ｋの一辺（第２辺）２０５とが所定方向において間隔（間隔Ｗ１０に等しい）を隔てて互いに対向している。ここで、第１実装基板２０１ｊは、第１辺２０４に形成された切欠き２０６を有し、第２実装基板２０１ｋは、第２辺２０５に形成された切欠き２０６を有する。これら切欠き２０６は所定方向（左右方向）で互いに対向している。光源モジュール２８Ｄにおいても、第１実装基板２０１ｊの切欠き２０６の底面と第２実装基板２０１ｋの切欠き２０６の底面との間の隙間が、空間２０３を形成している。つまり、光源モジュール２８Ｄでは、２つの実装基板２０１ｊ，２０１ｋ間の隙間が空間２０３として利用される。このような光源モジュール２８Ｄによっても、上記実施形態と同様の効果が得られ得る。なお、光源モジュール２８Ｄは、光源ユニット２Ｘにも適用できる。
【００７０】
また、光源ユニット２は、図２２Ｂに示す光源モジュール２８Ｅを有していてもよい。光源モジュール２８Ｅは、１つのＬＥＤモジュール２０（２０ｌ）を有する。ＬＥＤモジュール２０ｌは、正方形状の実装基板２０１（２０１ｌ）の実装面（下面）に複数の発光素子２００を実装して構成されている。複数の発光素子２００は、実装基板２０１ｌの実装面に格子状に配置され、実装面に形成されている配線導体（銅はく）を介して互いに電気的に接続されている。実装基板２０１ｃは、取付板２２０の第１面２２０１にねじ止めにより取り付けられている。実装基板２０１ｌは、取付板２２０の開口２２２に対応する位置に、空間２０３Ａを有している。また、実装基板２０１ｌは、第２方向に沿って延びて、一端が空間２０３Ａに繋がり、他端が外部に開放されたスリット２０７を有している。このような光源モジュール２８Ｅによっても、上記実施形態と同様の効果が得られ得る。なお、光源モジュール２８Ｅは、光源ユニット２Ｘにも適用できる。
【００７１】
２．３  その他の変形例
また、照明器具１は、天井以外の造営材（例えば、壁など）に直付けされる照明器具、あるいは、造営材（例えば、天井又は壁）に埋め込まれる埋込型の照明器具であってもよい。
【００７２】
また、取付部材２２は、必ずしも４つの側板２２１を備えている必要はない。取付板２２０は、必ずしも正方形である必要はなく、長方形、円形、多角形などの他の形状であってもよい。
【００７３】
また、取付板２２０において、開口２２２、窓孔２２３１、及び空間２０３の形状は上記の例に限定されず、アンテナ部２９１の形状によって変更され得る。つまり、開口２２２、窓孔２２３１、及び空間２０３は、矩形ではなく、正方形等の多角形であってもよいし、円形であってもよい。要するに、開口２２２、窓孔２２３１、及び空間２０３は、アンテナ部２９１を露出させることができればよい。特に、空間２０３は、第１辺２０４と第２辺２０５との少なくとも一方に形成された切欠き２０６（２０６ａ、２０６ｂ）を含んでいなくてもよい。つまり、実装基板２０１に切欠き２０６が形成されていなくてもよい。また、第１辺２０４と第２辺２０５との両方に切欠き２０６が形成されていなくてもよい。つまり、空間２０３は、第１辺２０４と第２辺２０５との少なくとも一方に形成された切欠き２０６（２０６ａ、２０６ｂ）を含んでいればよい。
【００７４】
また、取付板２２０において、開口２２２、窓孔２２３１、及び空間２０３の位置は上記の例に限定されず、無線モジュール２９の位置によって変更され得る。ただし、アンテナ部２９１が取付板２２０の第１面２２０１より突出する場合には、光源モジュール２８の最も外側の発光素子２００よりも中心側に位置していることが好ましい。これは、アンテナ部２９１のカバー２１への写り込みを抑制するためである。
【００７５】
また、無線モジュール２９は、必ずしも、受光部２９２を備えていなくてもよい。
【００７６】
また、光源ユニット２，２Ｘは、必ずしも、カバー２１及びユニットカバー２３を備えていなくてもよい。
【００７７】
また、発光素子２００の配置も上記の例に限定されない。上記実施形態では、例えば、所定方向（第１方向）の発光素子２００の間隔（Ｗ１４）は第２方向の発光素子２００の間隔（Ｗ１５）より小さい。しかしながら、所定方向（第１方向）の発光素子２００の間隔（Ｗ１４）は第２方向の発光素子２００の間隔（Ｗ１５）より大きくてもよいし、同じでもよい。ただし、発光素子２００は、照明器具１から均一に光を照射できるように配置されていることが好ましい。
【００７８】
また、ＬＥＤモジュール２０の数は特に限定されず、発光素子２００も、ＬＥＤを利用した光源でなくてもよく、例えば、有機エレクトロルミネッセンス素子であってもよい。
【００７９】
また、光源ユニット２，２Ｘは、取付ばね２６とは異なる形状の取付具を有していてもよい。取付具は、例えば、取付板２２０から引掛部材２７とは反対の方向へ突出する突起であってもよい。
【００８０】
また、器具本体１０において、本体部１１及び本体カバー１２の形状は、上記実施形態の形状に限定されない。例えば、上記実施形態の本体部１１及び本体カバー１２は上下方向から見た外形が正方形であるが、円形であってもよいし、矩形などの多角形であってもよい。特に、本体カバー１２の形状は上述したような２つの錐体面を組み合わせた形状に限定されない。例えば、本体カバー１２は平板状であってもかまわない。また、本体カバー１２において、第１の突壁１２３及び第３の突壁１２５の組と、第２の突壁１２４及び第４の突壁１２６の組との両方を備えている必要はない。つまり、本体カバー１２は、第１の突壁１２３及び第３の突壁１２５の組と、第２の突壁１２４及び第４の突壁１２６の組といずれか一方を有していればよい。また、本体カバー１２において、第１部分１２１及び第２部分１２２の下面は白色の塗料で塗装されていなくてもよい。
【００８１】
また、本体部１１と本体カバー１２とは必ずしも引掛ばね１３を利用して結合されていなくてもよい。例えば、引掛ばね１３の代わりにねじを用いてもよい。あるいは、本体部１１と本体カバー１２とは一体に形成されていてもよい。
【００８２】
３．態様
以上述べた実施形態及び変形例から明らかなように、第１の態様の光源ユニット（２；２Ｘ）は、金属製の取付板（２２０）と、光源モジュール（２８；２８Ａ〜２８Ｅ）と、無線モジュール（２９）と、を備える。前記取付板（２２０）は、厚み方向の第１面（２２０１）及び第２面（２２０２）を有する。前記光源モジュール（２８；２８Ａ〜２８Ｅ）は、前記取付板（２２０）の前記第１面（２２０１）に取り付けられる。前記無線モジュール（２９）は、アンテナ部（２９１）を有し、前記取付板（２２０）の前記第２面（２２０２）に取り付けられる。前記取付板（２２０）は、前記取付板（２２０）を前記厚み方向に貫通し、前記無線モジュール（２９）の前記アンテナ部（２９１）を露出させる開口（２２２）を有する。前記光源モジュール（２８；２８Ａ〜２８Ｅ）は、前記開口（２２２）から露出した前記アンテナ部（２９１）を露出させる空間（２０３；２０３Ａ）を有する。前記開口（２２２）は、前記取付板（２２０）の前記厚み方向に直交する所定方向において前記空間（２０３；２０３Ａ）が前記開口（２２２）内に収まる大きさである。第１の態様によれば、強度の向上を図りつつ無線通信の精度を向上でき、その上、絶縁性能を確保できる。
【００８３】
第２の態様の光源ユニット（２；２Ｘ）は、第１の態様との組み合わせにより実現され得る。第２の態様では、前記光源モジュール（２８；２８Ｃ；２８Ｄ）は、第１実装基板（２０１ａ；２０１ｆ；２０１ｊ）と、第２実装基板（２０１ｂ；２０１ｇ；２０１ｋ）と、を含む。前記第１実装基板（２０１ａ；２０１ｆ；２０１ｊ）は、第１辺（２０４）を有する。前記第２実装基板（２０１ｂ；２０１ｇ；２０１ｋ）は、前記所定方向において前記第１辺（２０４）に対向する第２辺（２０５）を有する。前記空間（２０３）は、前記第１辺（２０４）と前記第２辺（２０５）との間の隙間を含む。第２の態様によれば、実装基板（２０１）間の隙間を空間（２０３）に利用しているから、空間（２０３）を実装基板（２０１）に形成する場合よりも、空間（２０３）を容易に形成できる。
【００８４】
第３の態様の光源ユニット（２；２Ｘ）は、第２の態様との組み合わせにより実現され得る。第３の態様では、前記空間（２０３）は、前記第１辺（２０４）と前記第２辺（２０５）との少なくとも一方に形成された切欠き（２０６；２０６ａ、２０６ｂ）を含む。第３の態様によれば、実装基板（２０１）間の間隔を狭くでき、異なる実装基板（２０１）の発光素子（２００）間の距離を短くできる。
【００８５】
第４の態様の光源ユニット（２；２Ｘ）は、第２又は第３の態様との組み合わせにより実現され得る。第４の態様では、前記光源モジュール（２８；２８Ｃ；２８Ｄ）は、第１グループ（Ｇ１０）と、第２グループ（Ｇ２０）と、を含む。前記第１グループ（Ｇ１０）は、前記第１実装基板（２０１ａ；２０１ｆ；２０１ｊ）における前記取付板（２２０）とは反対側の面に実装される発光素子（２００）のグループである。前記第２グループ（Ｇ２０）は、前記第２実装基板（２０１ｂ；２０１ｇ；２０１ｋ）における前記取付板（２２０）とは反対側の面に実装される発光素子（２００）のグループである。前記第１グループ（Ｇ１０）は、前記所定方向に沿って所定間隔（Ｗ１４）で並ぶ発光素子（２００）の１以上の列を含む。前記第２グループ（Ｇ２０）は、前記所定方向に沿って前記所定間隔（Ｗ１４）で並ぶ発光素子（２００）の１以上の列を含む。前記所定方向における前記空間（２０３、２０３Ａ）の寸法（Ｗ１１）は、前記所定間隔（Ｗ１４）未満である。第４の態様によれば、異なる実装基板（２０１）間に亘って発光素子（２００）を所定方向に等間隔で配置しやすくなる。
【００８６】
第５の態様の光源ユニット（２；２Ｘ）は、第４の態様との組み合わせにより実現され得る。第５の態様では、前記所定方向における前記開口（２２２）の寸法（Ｗ１２）は、前記所定間隔（Ｗ１４）以下である。第５の態様によれば、異なる実装基板（２０１）間に亘って発光素子（２００）を所定方向に等間隔でより配置しやすくなる。
【００８７】
第６の態様の光源ユニット（２；２Ｘ）は、第１の態様との組み合わせにより実現され得る。第６の態様では、前記光源モジュール（２８Ａ；２８Ｂ；２８Ｅ）は、実装基板（２０１ｃ；２０１ｄ；２０１ｌ）を有する。前記空間（２０３Ａ）は、前記実装基板（２０１ｃ；２０１ｄ；２０１ｌ）を貫通する孔である。第６の態様によれば、実装基板（２０１）間の隙間を利用する場合に比べて、所望の位置に空間（２０３Ａ）を設けやすくなる。
【００８８】
第７の態様の光源ユニット（２；２Ｘ）は、第６の態様との組み合わせにより実現され得る。第７の態様では、前記光源モジュール（２８Ａ；２８Ｂ；２８Ｅ）は、前記実装基板（２０１ｃ；２０１ｄ；２０１ｌ）における前記取付板（２２０）とは反対側の面に実装される発光素子（２００）のグループ（Ｇ３０）を含む。前記発光素子（２００）のグループ（Ｇ３０）は、前記所定方向に沿って所定間隔（Ｗ１４）で並ぶ発光素子（２００）の列を含む。前記空間（２０３Ａ）は、前記発光素子（２００）の列のうち隣り合う２つの発光素子（２００）の間に位置する。前記所定方向における前記空間（２０３Ａ）の寸法（Ｗ１６）は、前記所定間隔（Ｗ１４）未満である。第７の態様によれば、実装基板（２０１）に発光素子（２００）を所定方向に等間隔で配置しやすくなる。
【００８９】
第８の態様の光源ユニット（２；２Ｘ）は、第７の態様との組み合わせにより実現され得る。第８の態様では、前記所定方向における前記開口（２２２）の寸法（Ｗ１２）は、前記所定間隔（Ｗ１４）以下である。第８の態様によれば、実装基板（２０１）に発光素子（２００）を所定方向に等間隔でより配置しやすくなる。
【００９０】
第９の態様の光源ユニット（２；２Ｘ）は、第１の態様との組み合わせにより実現され得る。第９の態様では、前記光源モジュール（２８；２８Ａ〜２８Ｅ）は、更にカバー（２１）を有する。前記カバー（２１）は、透光性を有し、前記光源モジュール（２８、２８Ａ〜２８Ｅ）を覆うように前記取付板（２２０）の前記第１面（２２０１）に取り付けられる。前記アンテナ部（２９１）は、前記開口（２２２）及び前記空間（２０３；２０３Ａ）を通って前記取付板（２２０）の前記第１面（２２０１）から突出する。前記カバー（２１）と前記アンテナ部（２９１）との距離（Ｌ１０）は、前記アンテナ部（２９１）の影が前記カバー（２１）に写らない長さである。第９の態様によれば、無線モジュール（２９）による無線通信の精度を向上しつつ、光源ユニット（２；２Ｘ）の照明性能の低下を抑制できる。
【００９１】
第１０の態様の光源ユニット（２；２Ｘ）は、第９の態様との組み合わせにより実現され得る。第１０の態様では、前記光源モジュール（２８；２８Ａ〜２８Ｅ）は、所定方向に沿って並ぶ発光素子（２００）の列を含む。前記空間（２０３；２０３Ａ）は、前記発光素子（２００）の列のうち隣り合う２つの発光素子（２００）の間に位置する。第１０の態様によれば、発光素子（２００）を所定方向に等間隔で配置しやすくなる。
【００９２】
第１１の態様の光源ユニット（２；２Ｘ）は、第１〜第１０の態様のいずれか一つとの組み合わせにより実現され得る。第１１の態様では、前記無線モジュール（２９）は、光信号を受け取る受光部（２９２）を有する。前記受光部（２９２）は、前記開口（２２２）及び前記空間（２０３；２０３Ａ）から露出する。第１１の態様によれば、前記光源ユニット（２；２Ｘ）との光通信が可能になる。
【００９３】
第１２の態様の光源ユニット（２；２Ｘ）は、第１〜第１１の態様のいずれか一つとの組み合わせにより実現され得る。第１２の態様では、前記光源ユニット（２；２Ｘ）は、更に、点灯回路（２４）を備える。前記無線モジュール（２９）は、前記アンテナ部（２９１）を通じて無線信号を受信するように構成される。前記点灯回路（２４）は、前記無線モジュール（２９）で受信した前記無線信号に応じて前記光源モジュール（２８、２８Ａ〜２８Ｅ）を制御するように構成される。第１２の態様によれば、前記光源ユニット（２；２Ｘ）の遠隔制御が可能になる。
【００９４】
第１３の態様の照明器具（１）は、第１〜第１２の態様のいずれか一つの光源ユニット（２；２Ｘ）と、前記光源ユニット（２；２Ｘ）を支持する器具本体（１０）と、を備える。第１３の態様によれば、強度の向上を図りつつ無線通信の精度を向上でき、その上、絶縁性能を確保できる。
【符号の説明】
【００９５】
１  照明器具
１０  器具本体
２、２Ｘ  光源ユニット
２０１、２０１ａ〜２０１ｌ  実装基板
２０３、２０３Ａ  空間
２０４  第１辺
２０５  第２辺
２０６、２０６ａ、２０６ｂ  切欠き
２１  カバー
２２０  取付板
２２０１  第１面
２２０２  第２面
２２２  開口
２４  電源ユニット（点灯回路）
２８、２８Ａ〜２８Ｅ  光源モジュール
２９  無線モジュール
２９１  アンテナ部
２９２  受光部
Ｇ１０、Ｇ２０、Ｇ３０  グループ
Ｌ１０  距離
Ｗ１１  寸法
Ｗ１２  寸法
Ｗ１４  所定間隔
Ｗ１６  寸法
【図１】
2019012608.tif 000003
【図２】
2019012608.tif 000004
【図３】
2019012608.tif 000005
【図４】
2019012608.tif 000006
【図５】
2019012608.tif 000007
【図６】
2019012608.tif 000008
【図７】
2019012608.tif 000009
【図８】
2019012608.tif 000010
【図９】
2019012608.tif 000011
【図１０】
2019012608.tif 000012
【図１１】
2019012608.tif 000013
【図１２】
2019012608.tif 000014
【図１３】
2019012608.tif 000015
【図１４】
2019012608.tif 000016
【図１５】
2019012608.tif 000017
【図１６】
2019012608.tif 000018
【図１７】
2019012608.tif 000019
【図１８】
2019012608.tif 000020
【図１９】
2019012608.tif 000021
【図２０】
2019012608.tif 000022
【図２１】
2019012608.tif 000023
【図２２】
2019012608.tif 000024